(57)【要約】【課題】  ビリヤード競技の中で重要なブレイクショットの技術向上を目的とした練習の中で発生する、ラックの立て直し、リプレースという作業を省いて、効率的に練習することが出来るビリヤード用練習器具を提供する。【解決手段】  的球が動かないように、板及び支柱で構成された本体（８）に設けた４本のゴム（９）及びフック（１１）をビリヤード台ポケットにかけることで固定したビリャード用練習器具を特徴とする。【選択図】図１
2014226522.tif 000002
【特許請求の範囲】
【請求項１】
球状の的球を平面のビリヤード台に両者に一切の加工をせず、競技に沿った規定の配置に保持し、ラックの立て直し作業が不要になるように、３枚ないし２枚の板と支柱を組み合わせ的球を固定する機能を持つビリヤード用練習器具。
【請求項２】
手球と的球の接触部分を確保するため、２本の帯状の部品又は半球状の部品を請求項１記載の板に設けたビリヤード用練習器具。
【請求項３】
的球を固定した本体部分から伸ばした４本のゴム及びフックをビリヤード台４箇所のポケットに架け本体部分に衝撃が加わり移動しても元の位置に復元する機能を持つビリヤード用練習器具。
【発明の詳細な説明】
【技術分野】
【０００１】この発明は、ビリヤード競技技術の中で、重要な割合を占めるブレイクショットの技術向上を目的とした練習を、効率的に行うためのビリヤード用練習器具に関するものである。
【技術背景】
【０００２】従来、ブレイクショットの練習は、的球を複数個、木製等の型を使い規定の形に並べた状態、いわゆるラックをプレーヤー自ら打ち出した手球と衝突させ分散させた後、拾い集め、並べ直す作業を繰り返していた。しかしこの練習方法では、手球を打つという行為より、的球を集めてラックするほうに多くの時間が割かれてしまい、プレーヤーは消費した時間に見合った成果を挙げることが出来なかった。
【０００３】また、衝突時の感覚を犠牲にした、質量の近いラックの代用品、例えば電話帳を重ねテープを巻いたもの等を本来ラックがある場所に置き、それに向けてショットを打つ事で効率を上げるというのも一般的な練習方法であったが、この方法でも手球との衝突により代用品は移動するため、１回毎にリプレースする作業は必要であった。
【０００４】なお、的球同士をボルト等で結合したラックの代用品を２本のゴム状の紐及びファイバー製の棒でビリヤード台上で固定し、練習効率を上げる器具も存在する。この器具を使用すればラックを立て直す、リプレースする作業がなくなるうえ、実際のブレイクショットに近い練習が行えるようになった。
【発明の概要】
【０００５】しかしながら、上記０００４欄記載の練習用器具は次のような課題があった。
（イ）およそ時速３０〜４０キロにおよぶ樹脂製の球体の衝突に耐え得るように接合部        分に鉄製鋳造部品が使われており、いざ破損した場合、修復が極めて困難であっ        た。
（ロ）ラック部分に実際の的球と同じ材質、大きさの代用品を使用しており、器具全体        の重量が有り、嵩張るうえ、価格も高くなるため気軽に保管、運搬、使用する事        が難しく、汎用性が低いものであった。
【０００６】プレーヤーがブレイクショットの練習をする際、普段使用している球を使い、尚且つラックする、リプレースするという手間を省きたい願望は有ったが、それには、次のような課題があった。
（イ）練習以外にも使用するために、ビリヤード台及び球自体への加工は不可。
（ロ）ラックの形状を維持する際、衝突の感覚を損なわないようにラック頂点の的球に        は手球が直接接触する余地が必要な上、視覚イメージを損なわないように周りを        すべて囲む形状は不適。
（ハ）球自体が破損する恐れがあるため、球が接触する部分の素材は軟らかいもので、        尚且つ衝撃を受けても的球の配置を維持する形状でなくてはならない。
（ニ）ブレイクする際、手球を置いた位置からラックの頂点に置かれた手球迄の間に、        障害物があってはならない。
等、多くの制約があった。
【０００７】本発明は、以上の課題を解消し、１ショット毎にラックの立て直し、リプレースが不要で、尚且つ普段使用している球をセットして使用出来るため、軽量、コンパクト且つ低コストで生産可能で、実際のプレーに近いブレイクショットの練習が出来る器具を提供する事を目的としている。
【目的を解決するための手段】
【０００８】球状の的球を、平面のビリヤード台に、両者に一切の加工をせず保持するため、３枚の形状の異なる上板（１）中板（２）下板（３）を、ボルト（４）によって間を空けて組み合わせ、的球を収納する。
【０００９】ラックの頂点部分に関しては、手球との接触部分を確保するため、帯状の部品（７）２本を交差させ的球を包むように収納する。
【００１０】本体（８）から帯状のゴム（９）で繋がって設けてあるフック（１１）４個をビリヤード台の、サイドポケット２箇所及びラック側コーナーポケット２箇所に架ける。
【００１１】的球が接触する部品、上板（１）中板（２）下板（３）、ボルト（４）を包むスペーサー（５）、頂点部分の帯状の部品（７）には、球を傷つける恐れがないよう、またラック全体の視覚イメージを損なわないように軟質且つ透明の素材を使用する。
【００１２】ラックの材質と同様に、的球全体と手球の質量差もブレイク時の感覚に影響を及ぼすことを考慮して、より実際のブレイクに近づけるよう本体（８）の質量を加味し、本来９個の的球を使用するところ中央の球を抜き８個でセットする。
【００１３】ビリヤード台のサイズ、ポケット形状の個体差を考慮し、ゴム（９）に複数のハトメ（１０）を設けフック（１１）を接続する位置が調節できるようにする。
本発明は、以上の構成よりなるビリヤード用練習器具である。
【発明の効果】
【００１４】本発明品によって、的球を競技に適した形態に固定しているため、１ショット毎にラックを立て直す手間が省ける。また、本発明品自体をビリヤード台に接続しているため、リプレースする手間も省け、費やす時間が同じでも、従来より効果的なブレイクショットの練習が出来る。
【００１５】代用品でなく、本物の的球を使用する事によって、より実際に近いブレイクショットの練習が出来る上、従来より軽量、小型、且つ安価に製造することが出来る。
【００１６】部品の大部分に、軟質且つ透明な部品を使用することにより、球を傷付ける事無く、製品自体が破損するリスクも低減できる上、視覚的イメージの損失も少ない練習が出来る。
【００１７】ビリヤード台のサイズとして、長辺が９フィートのものが一般的であるが、１０フィート、８フィート等のものも存在する。台に接続するゴムにハトメを複数設けることによって、各種サイズのビリヤード台にも容易に対応可能である。
【図面の簡単な説明】
【００１８】
【図１】  本発明の全体を表した斜視図である。
【図２】  本発明の一部を省略した側面図である。
【図３】  本発明の一部を省略した平面図である。
【図４】  本発明の一部を省略した断面図である。
【図５】  本発明の一部を省略した断面図である。
【図６】  本発明の一部を省略し、球体を装着した場合の斜視図である。
【発明を実施するための形態】
【００１９】以下、本発明を実施するための形態について説明する。ビリヤード種目において代表的且つブレイクショットの重要性が高いナインボールのラックに合わせた軟質且つ透明の上板（１）中板（２）下板（３）を隙間を空けてボルト（４）で固定する。各ボルト（４）には、的球の保護及び適切な間隔を保持するためのスペーサー（５）として、軟質且つ透明なチューブ状の部品を上板（１）中板（２）間及び中板（２）下板（３）間に設ける。これによりボルト（４）に通る順番としては、下から下板（３）スペーサー（５）中板（２）スペーサー（５）上板（１）ナット（６）の順となる。なお、上板（１）に円状の穴を複数空ける事によりラック上部の保持を可能としているが、中板（２）に半球状の凹みを複数設けて的球を保持する方法もある。この場合上板（１）が不要となる。
【００２０】また、ラックの頂点部分に関しては、２本の軟質且つ透明な帯状の部品（７）を、それぞれ上板（１）下板（３）に設け、立体交差し、頂点にある的球を包むように固定する。なお、帯状の部品（７）の代わりに、空洞で半球状かつ頂点部分に穴を開けてある部品を、穴を手球との接触方向に向け３つの板（１）（２）（３）と組み合わせ固定する方法でも、同様の機能を果たすことが可能である。上記００１９欄と本００２０欄で組み合わせたものを本体（８）とする。
【００２１】帯状のゴム（９）にハトメ（１０）を複数設けたものを本体（８）最全部２箇所のボルト（４）のスペーサー（５）に１本ずつと最後部ボルト（４）のスペーサー（５）に２本、計４本取り付ける。各ゴム（９）の先端にフック（１１）を設ける。後部２本のゴム（９）は、伸縮性のない紐等でも代用が可能である。本発明は以上のような構造である。
【００２２】これを使用するときは、前部２個のフック（１１）をビリヤード台サイドポケット２箇所に架け、後部２個のフック（１１）をラック側コーナーポケット２箇所に架けて、的球を下板（３）下部より収納した後、本体（８）に向けて手球を打てばよい。
【符号の説明】
【００２３】  １    上板
２    中板
３    下板
４    ボルト
５    スペーサー
６    ナット
７    帯状の部品
８    本体
９    ゴム
１０  ハトメ
１１  フック
【図１】
2014226522.tif 000003
【図２】
2014226522.tif 000004
【図３】
2014226522.tif 000005
【図４】
2014226522.tif 000006
【図５】
2014226522.tif 000007
【図６】
2014226522.tif 000008